(57)【要約】【課題】  本発明は、極めて商品価値の高い画期的なキノコ栽培用容器に付設される蓋体を提供することを目的とする。【解決手段】  キノコ栽培用容器１の上部開口部２に設けられ、前記キノコ栽培用容器１の内部と外部とを通気せしめる通気構造を具備した蓋体Ｃであって、この蓋体Ｃにはリブ６が設けられ、このリブ６は前記上部開口部２に係る開口縁２’の鉛直方向延長位置に設けられているものである。【選択図】      図４
2007054023.tif 000002
【特許請求の範囲】
【請求項１】
キノコ栽培用容器の上部開口部に設けられ、前記キノコ栽培用容器の内部と外部とを通気せしめる通気構造を具備した蓋体であって、この蓋体にはリブが設けられ、このリブは前記上部開口部に係る開口縁の鉛直方向延長位置に設けられていることを特徴とするキノコ栽培用容器に付設される蓋体。
【請求項２】
請求項１記載のキノコ栽培用容器に付設される蓋体において、前記リブは所定間隔を介存せしめて環状に設けられていることを特徴とするキノコ栽培用容器に付設される蓋体。
【請求項３】
請求項１，２いずれか１項に記載のキノコ栽培用容器に付設される蓋体において、前記蓋体は下蓋とこの下蓋の上部に設けられる上蓋とで構成されていることを特徴とするキノコ栽培用容器に付設される蓋体。
【請求項４】
請求項３記載のキノコ栽培用容器に付設される蓋体において、前記下蓋は、基板部の下面に該基板部より径小にして前記上部開口部に被嵌される筒体が垂下せしめられており、前記基板部にして前記筒体の外方位置には通気孔が設けられており、また、前記基板部の外周には上方に突出する周鍔が設けられており、この周鍔の内方にして該基板部には前記リブが上方に突出せしめられ、このリブの内方には通気孔が設けられていることを特徴とするキノコ栽培用容器に付設される蓋体。
【請求項５】
請求項３，４いずれか１項に記載のキノコ栽培用容器に付設される蓋体において、前記下蓋に設けられる前記上蓋は、基板部の外周に周鍔が垂下せしめられ、前記下蓋の上部に設けた際、該周鍔は前記下蓋の周鍔と前記リブとの間に位置し、且つ、前記リブが該上蓋の基板部に当接するように構成せしめられていることを特徴とするキノコ栽培用容器に付設される蓋体。
【請求項６】
請求項１〜５いずれか１項に記載のキノコ栽培用容器に付設される蓋体において、前記リブには該リブの突出方向に突出する補強リブが設けられていることを特徴とするキノコ栽培用容器に付設される蓋体。
【請求項７】
請求項５，６いずれか１項に記載のキノコ栽培用容器に付設される蓋体において、前記上蓋の基板部には該基板部の直径方向に延設される補強リブが設けられていることを特徴とするキノコ栽培用容器に付設される蓋体。
【請求項８】
請求項４〜７いずれか１項に記載のキノコ栽培用容器に付設される蓋体において、前記下蓋の基板部にして前記通気孔間には放射方向に延設される補強リブが設けられていることを特徴とするキノコ栽培用容器に付設される蓋体。
【請求項９】
請求項４〜８いずれか１項に記載のキノコ栽培用容器に付設される蓋体において、前記下蓋の基板部にして前記筒体の内方位置には該基板部の直径方向に延設される補強リブが設けられていることを特徴とするキノコ栽培用容器に付設される蓋体。
【発明の詳細な説明】
【技術分野】
【０００１】
本発明は、キノコ栽培用容器に付設される蓋体に関するものである。
【背景技術】
【０００２】
従来から、キノコを人工栽培する際に使用されるキノコ栽培用容器が提案されている。
【０００３】
このキノコ栽培用容器１は、適宜な合成樹脂製であり、その上部開口部２には適宜な合成樹脂製の蓋体Ｃが配設され、この蓋体Ｃはキノコ栽培用容器１の内部と外部とを通気する通気構造を具備している。尚、本実施例と同一構成部分には同一符号を付した。
【０００４】
具体的には、この蓋体Ｃは、通気孔を有する下蓋３とこの下蓋３の上部に間隙Ｓを介して設けられる上蓋５とで構成され、下蓋３と上蓋５との間隙Ｓにはフィルター17が配設されたものである。
【発明の開示】
【発明が解決しようとする課題】
【０００５】
ところで、実際にこのキノコ栽培用容器１を使用してキノコを栽培する場合、種菌を植え付ける前に行なわれるキノコ培地Ｋの殺菌処理はキノコ栽培用容器１内に入れた状態で行なわれ、このキノコ培地の殺菌処理の際、キノコ栽培用容器１の上部開口部２に配設した蓋体Ｃが変形してしまうという問題点がある。
【０００６】
即ち、この殺菌処理は、図12に図示したようにキノコ培地Ｋを入れた複数のキノコ栽培用容器１をコンテナ16に収納し、このコンテナ16を加熱加圧殺菌処理装置Ｊ内に積み重ねた状態で入れて加熱加圧殺菌処理が行なわれるが（図12では計８段）、蓋体Ｃは前述した通気構造、即ち、通気孔や間隙Ｓを有する通気構造を具備した合成樹脂製である為、強度的に弱く、特に下方に位置するキノコ栽培用容器１に配設される蓋体Ｃは、荷重がかかった状態で加熱加圧（１００℃〜１２０℃の環境下で加熱加圧）され、よって、変形が生じてしまう。具体的には、図８に図示したように蓋体Ｃの周縁部が下方に落ち込み変形したり、図９に図示したように上蓋５の中央部が下方に落ち込み変形してしまう。尚、この蓋体Ｃの変形は該蓋体Ｃの径が大きくなるほど顕著となり、本発明者等は、従来から一般的とされるタイプのキノコ栽培用容器１において、上部開口部２が約６０ｍｍ以上の径になると上記変形が生じ易いことを確認している。
【０００７】
この蓋体Ｃが変形すると、例えばキノコ培地の加熱加圧殺菌処理後における各種操作（種菌の植え付け処理や菌掻き処理など）を行なう各種装置における蓋体Ｃの自動開閉が良好に行なわれなくなり（各種装置に設けられる蓋体保持部において良好に蓋体Ｃを保持することができなくなったり、蓋体Ｃをキノコ栽培用容器１の上部開口部に嵌合できなくなったりする）、その他にも、この蓋体Ｃを再使用する場合、キノコ栽培用容器１と蓋体Ｃとの良好な嵌合ができず、また、加熱加圧殺菌処理時に積み上げた際、不安定であるなどの問題点があり、結局、再使用ができないという問題が生じる。
【０００８】
本発明者等は、上述の問題点に着目し、種々の実験・研究を繰り返し行なった結果、従来にない画期的なキノコ栽培用容器に付設する蓋体を開発した。
【課題を解決するための手段】
【０００９】
添付図面を参照して本発明の要旨を説明する。
【００１０】
キノコ栽培用容器１の上部開口部２に設けられ、前記キノコ栽培用容器１の内部と外部とを通気せしめる通気構造を具備した蓋体Ｃであって、この蓋体Ｃにはリブ６が設けられ、このリブ６は前記上部開口部２に係る開口縁２’の鉛直方向延長位置に設けられていることを特徴とするキノコ栽培用容器に付設される蓋体に係るものである。
【００１１】
また、請求項１記載のキノコ栽培用容器に付設される蓋体において、前記リブ６は所定間隔を介存せしめて環状に設けられていることを特徴とするキノコ栽培用容器に付設される蓋体に係るものである。
【００１２】
また、請求項１，２いずれか１項に記載のキノコ栽培用容器に付設される蓋体において、前記蓋体Ｃは下蓋３とこの下蓋３の上部に設けられる上蓋５とで構成されていることを特徴とするキノコ栽培用容器に付設される蓋体に係るものである。
【００１３】
また、請求項３記載のキノコ栽培用容器に付設される蓋体において、前記下蓋３は、基板部15の下面に該基板部15より径小にして前記上部開口部２に被嵌される筒体７が垂下せしめられており、前記基板部15にして前記筒体７の外方位置には通気孔８ａが設けられており、また、前記基板部15の外周には上方に突出する周鍔９が設けられており、この周鍔９の内方にして該基板部15には前記リブ６が上方に突出せしめられ、このリブ６の内方には通気孔３ａが設けられていることを特徴とするキノコ栽培用容器に付設される蓋体に係るものである。
【００１４】
また、請求項３，４いずれか１項に記載のキノコ栽培用容器に付設される蓋体において、前記下蓋３に設けられる前記上蓋５は、基板部19の外周に周鍔５ａが垂下せしめられ、前記下蓋３の上部に設けた際、該周鍔５ａは前記下蓋３の周鍔９と前記リブ６との間に位置し、且つ、前記リブ６が該上蓋５の基板部19に当接するように構成せしめられていることを特徴とするキノコ栽培用容器に付設される蓋体に係るものである。
【００１５】
また、請求項１〜５いずれか１項に記載のキノコ栽培用容器に付設される蓋体において、前記リブ６には該リブ６の突出方向に突出する補強リブ12が設けられていることを特徴とするキノコ栽培用容器に付設される蓋体に係るものである。
【００１６】
また、請求項５，６いずれか１項に記載のキノコ栽培用容器に付設される蓋体において、前記上蓋５の基板部19には該基板部19の直径方向に延設される補強リブ13が設けられていることを特徴とするキノコ栽培用容器に付設される蓋体に係るものである。
【００１７】
また、請求項４〜７いずれか１項に記載のキノコ栽培用容器に付設される蓋体において、前記下蓋３の基板部15にして前記通気孔８ａ間には放射方向に延設される補強リブ11が設けられていることを特徴とするキノコ栽培用容器に付設される蓋体に係るものである。
【００１８】
また、請求項４〜８いずれか１項に記載のキノコ栽培用容器に付設される蓋体において、前記下蓋３の基板部15にして前記筒体７の内方位置には該基板部15の直径方向に延設される補強リブ14が設けられていることを特徴とするキノコ栽培用容器に付設される蓋体に係るものである。
【発明の効果】
【００１９】
本発明は上述のように構成したから、前述した従来から提案されるものと異なり、例えばキノコ培地の加熱加圧殺菌処理時における蓋体の変形を可及的に防止することができる画期的なキノコ栽培用容器に付設される蓋体となる。
【発明を実施するための最良の形態】
【００２０】
好適と考える本発明の実施形態を、図面に基づいて本発明の作用を示して説明する。
【００２１】
例えばキノコ培地の加熱加圧殺菌処理において、キノコ栽培用容器１が収納されたコンテナを積み上げた際、蓋体Ｃにかかる荷重を良好に分散させることで該蓋体Ｃの変形を可及的に防止することができる。
【００２２】
即ち、本発明は、蓋体Ｃにはリブ６が設けられ、このリブ６は前記上部開口部２に係る開口縁２’の鉛直方向延長位置に設けられているから、蓋体Ｃにかかる荷重はリブ６を介してキノコ栽培用容器１の上部開口部２にかかり、この上部開口部２を介してキノコ栽培用容器１全体で受けることになる。
【００２３】
従って、蓋体Ｃの変形を可及的に防止することができ、しかも、何ら複雑な構造ではなく従来の製造ラインに何ら支障なく高性能の蓋体を簡易且つ確実に製造することができる。
【実施例１】
【００２４】
本発明の具体的な実施例１について図１〜５に基づいて説明する。
【００２５】
本実施例は、キノコ栽培用容器１の上部開口部２に設けられ、前記キノコ栽培用容器１の内部と外部とを通気せしめる通気構造を具備したものである。
【００２６】
本実施例に係るキノコ栽培用容器１は、図１に図示したように適宜な合成樹脂製の部材（ポリプロピレン）を一体成形したものであり、径大部１Ａと、該径大部１Ａの上部に連設され上部開口部２を形成する径小部１Ｂとで構成されている（従来から提案される公知のものである。）。尚、実際にキノコを栽培する際には、このキノコ栽培用容器１内に収納したキノコ培地Ｋに種菌を植え付けてキノコを栽培する。
【００２７】
蓋体Ｃは、下蓋３とこの下蓋３の上部に間隙Ｓを介して設けられる上蓋５とで構成されている。
【００２８】
下蓋３は、図２，３に図示したように適宜な合成樹脂製の部材（ポリプロピレン）を一体成形したものであり、平面視円形状の基板部15の下面に該基板部15より径小にしてキノコ栽培用容器１の上部開口部２に被嵌される筒体７が垂下せしめられており、この基板部15にして筒体７の外方位置となる周縁部８には通気孔８ａが設けられており、また、基板部15の外周には上方に突出する周鍔９が設けられており、更に、この周鍔９の内方にして該基板部15には後述するリブ６が上方に突出せしめられ、このリブ６の内方には通気孔３ａが設けられている。
【００２９】
尚、通気孔３ａは基板部15の強度を考慮してその巾や数や形状が適宜設定され、具体的には、本実施例のような基板部15を構成する通気孔３ａ同士間で形成される中央円形部15ａの径や該中央円形部15ａから放射状となる直線部15ａの巾は適宜設定される。
【００３０】
また、下蓋３の周鍔９内面には後述する上蓋５の周鍔５ａ外面に形成された環状の係止部５ａ’が係止する環状の被係止段部９ａが形成されている。
【００３１】
また、下蓋３の周縁部８上面にして通気孔８ａ同士間には補強リブ11が１つ設けられており、この補強リブ11は、周縁部８にかかる荷重に対する補強機能を発揮する。
【００３２】
尚、補強リブ11の形状や数は適宜変更し得るものである。
【００３３】
また、下蓋３の基板部15は、キノコ栽培用容器１に被嵌した際、その下面がキノコ栽培用容器１の上部開口部２に係る開口縁２’に当接するように構成され、この開口縁２’の鉛直方向延設位置にして基板部15の上面にはリブ６が設けられ、また、このリブ６は、図４に図示したように下蓋３に上蓋５を配設した際、その先端部が上蓋５の内面に当接するように構成されている。
【００３４】
また、下蓋３のリブ６は、図２，３に図示したように所定巾を有し、基板部15の上面外周縁部に所定間隔を介存して平面視円形状に複数並設されている。
【００３５】
このリブ６同志の間、前記通気孔３ａ，８ａで通気構造が構成され、蓋体Ｃをキノコ栽培用容器１に嵌合した際、外気は通気孔８ａ、リブ６間、通気孔３ａを介してキノコ栽培用容器１内に導入される（空気Ａの流れを図４，５に実線矢印で図示）。
【００３６】
以上の構造のリブ６は、例えばキノコ培地Ｋの加熱加圧殺菌処理において、キノコ栽培用容器１が収納されたコンテナを積み上げた際に生じていた該蓋体Ｃの周縁部の変形を可及的に防止することに貢献する。
【００３７】
具体的には、蓋体Ｃの上方からの荷重Ｐは下蓋３と上蓋５との間で架設状態となるリブ６が設けられる位置に強くかかることになるが、例えば図７に図示した従来から提案される蓋体Ｃの場合（下蓋３に設けられるリブ６がキノコ栽培用容器１の上部開口部２に係る開口縁２’と鉛直方向延長位置でない場合）、蓋体Ｃの周縁部にかかる荷重Ｐを良好に受けることができず、よって、蓋体Ｃの周縁部が下方に変形してしまう場合がある（荷重Ｐの伝わりを二点鎖線矢印で図示した図７参照）。
【００３８】
この点、本実施例は、キノコ栽培用容器１に蓋体Ｃを付設した際、キノコ栽培用容器１の上部開口部２に係る開口縁２’と鉛直方向延長位置となるようにリブ６は設けられているから、蓋体Ｃの周縁部にかかる荷重Ｐはリブ６からキノコ栽培用容器１の上部開口部２で確実に受けることになり（荷重Ｐの伝わりを二点鎖線矢印で図示した図４参照）、この上部開口部２からキノコ栽培用容器１全体に荷重Ｐが分散することになり、該蓋体Ｃの周縁部の変形は可及的に防止されることになる。
【００３９】
また、リブ６をキノコ栽培用容器１の上部開口部２に係る開口縁２’の鉛直方向延長位置に設けるとは、必ずしもリブ６が完全にキノコ栽培用容器１の上部開口部２の真上に位置するだけに限られるものではなく、少なくともリブ６の厚みの約半分（５０％）以上がキノコ栽培用容器１の上部開口部２の開口縁２’上に一致すれば、その機能を十分に発揮する為、このような場合も含む。
【００４０】
また、キノコ栽培用容器１は、蓋体Ｃの各リブ６同士を結んで形成される円の径と該キノコ栽培用容器１の底部載置部の外縁径とが同径となるようなものが採用されている。よって、に形成されており、即ち、蓋体Ｃの上に他のキノコ栽培用容器１を積み重ねた際、各リブ６がキノコ栽培用容器１の底部載置部の外縁と一致する。従って、上部に載置したキノコ栽培用容器１からの荷重は下部のキノコ栽培用容器１に付設される蓋体Ｃのリブ６から下部のキノコ栽培用容器１に良好にかかることになり、よって、この構成によっても蓋体Ｃの変形は可及的に防止されることになる。
【００４１】
また、リブ６は、その外面両側に補強リブ12が形成されており、この補強リブ12によりリブ６の補強が達成されることで、より一層蓋体Ｃの周縁部の変形を防止し得ることになる。尚、補強リブ12はリブ６の外面に設けても内面及び外面双方に設けても良く、補強リブ12の形状や数は適宜変更し得るものである。また、リブ６は補強を目的として厚みや横幅が適宜設定される。
【００４２】
尚、本実施例は、リブ６として基板部15の外周縁部に所定間隔を介して平面視円形状に複数並設される板状体で構成したが、この他にも例えば板状体夫々の内面左右位置に一対突出形成したリブ（補強リブ12）の突出度合い及び形状を適宜設定して、この補強リブ12もリブ６としての機能を発揮せしめても良いし、補強リブ12のみでリブ６としての機能を発揮するように構成しても良い。
【００４３】
また、各リブ６によって囲繞される空間にはフィルター17が配設され、各リブ６は当該フィルター17を保持する機能を発揮する。
【００４４】
尚、本実施例では、リブ６を下蓋３に突出形成したが、上蓋５に突出形成しても良い。
【００４５】
上蓋５は、図２に図示したように適宜な合成樹脂製の部材（ポリプロピレン）を一体成形したものであり、平面視円形状の基板部19の内面外周縁位置には周鍔５ａが垂下せしめられ、下蓋３の上部に設けた際、該周鍔５ａは下蓋３の周鍔９とリブ６との間に位置し、且つ、リブ６が該上蓋５の基板部19に当接するように構成されている。
【００４６】
また、上蓋５の周鍔５ａは、その外面に下蓋３周鍔９に設けた被係止部９ａに係止する係止部５ａ’が形成されている。
【００４７】
また、上蓋５は、その基板部19の内面にその中心点から放射方向に補強リブ13が設けられている。
【００４８】
この補強リブ13は、加熱加圧殺菌処理の際、図10に図示したように上蓋５の中央部が落ち込み変形することを防止する。
【００４９】
尚、本実施例では、補強リブ13を上蓋５の外周縁部にまで達しない状態に形成しているが、上蓋５の外周縁部にまで達する状態に形成しても良く、この場合、補強リブ13の端部が嵌合する凹部をリブ６の先端中央部に設けるものである。また、補強リブ13の形状や数（放射方向への本数）は適宜変更し得るものである。
【００５０】
本実施例は上述のように構成したから、例えばキノコ培地Ｋの加熱加圧殺菌処理において、キノコ栽培用容器１が収納されたコンテナ16を積み上げた際、蓋体Ｃにかかる荷重Ｐを良好に受ける（分散させる）ことで該蓋体Ｃの変形を可及的に防止することができる。
【００５１】
よって、本実施例によれば、蓋体Ｃの変形を可及的に防止することができ、しかも、何ら複雑な構造ではなく従来の製造ラインに何ら支障なく高性能の蓋体を簡易且つ確実に製造することができる。
【実施例２】
【００５２】
本発明の具体的な実施例２について図６に基づいて説明する。
【００５３】
実施例２は、実施例１の基板部15を別タイプにしたものであり、具体的には、図６に図示したように基板部15にキノコ栽培用容器１に連通する円形の通気孔３ａが４つ設けられており、この基板部15には該基板部15の直径方向に形成される補強リブ14が形成されている。
【００５４】
この補強リブ14は、加熱加圧殺菌処理の際、図11に図示したように基板部15の中央部が落ち込み変形することを防止するものである。
【００５５】
尚、通気孔３ａ及び補強リブ14夫々の形状や数は適宜変更し得るものである。
【００５６】
その余は実施例１と同様である。
【００５７】
尚、本発明は、実施例１，２に限られるものではなく、各構成要件の具体的構成は適宜設計し得るものである。
【図面の簡単な説明】
【００５８】
【図１】実施例１の使用状態説明図である。
【図２】実施例１を示す分解斜視図である。
【図３】実施例１に係る要部を示す平面図である。
【図４】実施例１に係る要部の説明図である。
【図５】実施例１に係る要部の説明図である。
【図６】実施例２に係る要部を示す斜視図である。
【図７】従来例に係る要部の説明図である。
【図８】従来例の説明図である。
【図９】従来例の説明図である。
【図１０】従来例の説明図である。
【図１１】従来例の説明図である。
【図１２】キノコ培地を加熱加圧殺菌処理装置において殺菌処理する状態の説明図である。
【符号の説明】
【００５９】
Ｃ  蓋体
１  キノコ栽培用容器
２  上部開口部
２’  開口縁
３  下蓋
３ａ  通気孔
５  上蓋
５ａ  周鍔
６  リブ
７  筒体
８ａ  通気孔
９  周鍔
11  補強リブ
12  補強リブ
13  補強リブ
14  補強リブ
15  補強リブ
19  基板部
【図１】
2007054023.tif 000003
【図２】
2007054023.tif 000004
【図３】
2007054023.tif 000005
【図４】
2007054023.tif 000006
【図５】
2007054023.tif 000007
【図６】
2007054023.tif 000008
【図７】
2007054023.tif 000009
【図８】
2007054023.tif 000010
【図９】
2007054023.tif 000011
【図１０】
2007054023.tif 000012
【図１１】
2007054023.tif 000013
【図１２】
2007054023.tif 000014